(57)【要約】【課題】HD DVD規格で定義されているアドバンスドコンテンツにおける再生機能の充実を図ること。【解決手段】この発明の一実施形態に係る情報再生装置は、再生指示入力に対応して、再生制御時間情報に基づき、コンテンツに含まれる複数プレーンを規定透過率で重ね合わせて構成される１画面を順に出力する再生手段と、停止指示入力に対応して、前記再生制御時間情報に基づく画面更新を停止し、前記１画面を構成する複数プレーンのうちのいくつかのプレーンの透過率を変更し、擬似的に再生停止画面を生成する再生停止手段とを備える。【選択図】      図１
2008300966.tif 000002
【特許請求の範囲】
【請求項１】
再生及び再生停止の指示入力を受け付ける入力受付手段と、
前記入力受付手段により受け付けられた前記再生指示入力に対応して、再生制御時間情報に基づき、コンテンツに含まれる複数プレーンを規定透過率で重ね合わせて構成される１画面を順に出力する再生手段と、
前記入力受付手段により受け付けられた前記停止指示入力に対応して、前記再生制御時間情報に基づく画面更新を停止し、前記１画面を構成する複数プレーンのうちのいくつかのプレーンの透過率を変更し、擬似的に再生停止画面を生成する再生停止手段と、
を備えたことを特徴とする情報再生装置。
【請求項２】
前記再生停止手段は、前記入力受付手段により受け付けられた前記再生停止指示入力に対応して、前記再生制御時間情報に基づく画面更新を停止するとともに、前記１画面を構成する複数プレーンのうちの、最背面に出力される最背面プレーンを除く非最背面プレーンの透過率を前記規定透過率より高くし、前記非最背面プレーンを透過にすることを特徴とする請求項１に記載の情報再生装置。
【請求項３】
前記再生手段は、前記入力受付手段により受け付けられた前記再生停止指示入力の後続の前記再生指示入力に対応して、前記再生制御時間情報に基づく画面更新を再開するとともに、前記非最背面プレーンの透過率を前記規定透過率へ戻すことを特徴とする請求項２に記載の情報再生装置。
【請求項４】
前記再生停止手段は、前記入力受付手段により受け付けられた前記再生停止指示入力に対応して、前記再生制御時間情報に基づく画面更新を停止するとともに、前記１画面を構成する複数プレーンのうちの、最前面に出力される最前面プレーンの透過率を前記規定透過率より低くし前記最前面プレーンを非透過にすることを特徴とする請求項１に記載の情報再生装置。
【請求項５】
前記再生停止手段は、前記再生停止用プレーンのさらに前面に対して、再生停止情報を含むガイドプレーンを挿入することを特徴とする請求項４に記載の情報再生装置。
【請求項６】
前記再生手段は、前記入力受付手段により受け付けられた前記再生停止指示入力の後続の前記再生指示入力に対応して、前記再生制御時間情報に基づく画面更新を再開するとともに、前記最前面プレーンの透過率を前記規定透過率へ戻すことを特徴とする請求項４に記載の情報再生装置。
【請求項７】
再生及び再生停止の指示入力を受け付ける入力受付手段と、
前記入力受付手段により受け付けられた前記再生指示入力に対応して、再生制御時間情報に基づき、コンテンツに含まれる複数プレーンを規定透過率で重ね合わせて構成される１画面を順に出力する再生手段と、
前記入力受付手段により受け付けられた前記停止指示入力に対応して、前記再生制御時間情報に基づく画面更新を停止し、前記１画面を構成する複数プレーンの最前面に対して非透過な再生停止用プレーンを挿入し、擬似的に再生停止画面を生成する再生停止手段と、
を備えたことを特徴とする情報再生装置。
【請求項８】
前記再生停止手段は、前記再生停止用プレーンのさらに前面に対して、再生停止情報を含むガイドプレーンを挿入することを特徴とする請求項７に記載の情報再生装置。
【請求項９】
前記再生手段は、前記入力受付手段により受け付けられた前記再生停止指示入力の後続の前記再生指示入力に対応して、前記再生制御時間情報に基づく画面更新を再開するとともに、前記再生停止用プレーンを除去することを特徴とする請求項７に記載の情報再生装置。
【請求項１０】
再生指示入力に対応して、再生制御時間情報に基づき、コンテンツに含まれる複数プレーンを規定透過率で重ね合わせて構成される１画面を順に出力し、
停止指示入力に対応して、前記再生制御時間情報に基づく画面更新を停止し、前記１画面を構成する複数プレーンのうちのいくつかのプレーンの透過率を変更し、擬似的に再生停止画面を生成する、
ことを特徴とする再生制御方法。
【請求項１１】
再生指示入力に対応して、再生制御時間情報に基づき、コンテンツに含まれる複数プレーンを規定透過率で重ね合わせて構成される１画面を順に出力し、
停止指示入力に対応して、前記再生制御時間情報に基づく画面更新を停止し、前記１画面を構成する複数プレーンの最前面に対して再生停止用プレーンを挿入し、擬似的に再生停止画面を生成する、
ことを特徴とする再生制御方法。
【発明の詳細な説明】
【技術分野】
【０００１】
本発明は、例えばHD DVD規格で定義されているアドバンスドコンテンツにおける再生技術に関する。
【背景技術】
【０００２】
既に、標準画質に対応して定義された標準DVD規格（第１世代のDVD規格）に準拠した各種製品が大いに普及している。標準DVD規格に再生制御情報に基づき画面更新が制御される。標準DVDプレイヤーは、再生開始の指示に対応して再生制御情報に基づきコンテンツを再生し、再生停止の指示に対応して再生制御情報に基づく再生を停止しても、再生開始の指示に対応し再生停止位置から再生を再開することができる。また、標準DVDプレイヤーは、画面切り替えの指示に対応して強制的に画面を切り替えることもできる（特許文献１参照）。
【０００３】
これに対して、ここ数年の画像圧縮技術の向上に伴って、ユーザー及びコンテンツ供給者の両者からさらなる高画質の実現を望む声が挙がり、また、上記高画質の実現以外にも、タイトル本編も含めメニュー画面や特典映像等のコンテンツにおいて、より色彩に富んだメニューやインタラクティブ性の向上等、コンテンツ内容の拡充によるユーザーへのより魅力的なコンテンツの提供環境がコンテンツ供給者から望まれ、このような要望から、より魅力的なコンテンツの提供を実現するために、HD DVD規格（第２世代のDVD規格）が策定されている。
【０００４】
HD DVDプレイヤーは、再生開始の指示に対応してHD DVD規格で定義されているアドバンスドコンテンツを再生し、再生停止の指示に対応して再生を停止してしまうと（画面映像を消してしまうと）、再生停止位置から再生を再開することができない。これは、アドバンスドコンテンツのアドバンスドアプリケーションをリジュームさせる仕組みがHD DVD規格自体に存在しない為である。なお、再生一時停止の指示に対応して再生を一時停止した場合（画面映像が表示され画面更新を停止した場合）は、再生一時停止位置から再生を再開することができる。
【特許文献１】特開２０００−２９８９１９
【発明の開示】
【発明が解決しようとする課題】
【０００５】
HD DVD規格で定義されているアドバンスドコンテンツにおいても、再生一時停止位置（画面映像が表示され画面更新を停止した状態）からの再生再開機能だけでなく、再生停止位置（画面映像が消去され画面更新が停止した状態）からの再生再開機能も付加して欲しい旨の要望が挙げられている。
【０００６】
本発明の目的は、HD DVD規格で定義されているアドバンスドコンテンツにおける再生機能の充実を図ることにある。
【課題を解決するための手段】
【０００７】
この発明の一実施形態に係る情報再生装置は、再生及び再生停止の指示入力を受け付ける入力受付手段と、前記入力受付手段により受け付けられた前記再生指示入力に対応して、再生制御時間情報に基づき、コンテンツに含まれる複数プレーンを規定透過率で重ね合わせて構成される１画面を順に出力する再生手段と、前記入力受付手段により受け付けられた前記停止指示入力に対応して、前記再生制御時間情報に基づく画面更新を停止し、前記１画面を構成する複数プレーンのうちのいくつかのプレーンの透過率を変更し、擬似的に再生停止画面を生成する再生停止手段とを備える。
【０００８】
この発明の一実施形態に係る情報再生装置は、再生及び再生停止の指示入力を受け付ける入力受付手段と、前記入力受付手段により受け付けられた前記再生指示入力に対応して、再生制御時間情報に基づき、コンテンツに含まれる複数プレーンを規定透過率で重ね合わせて構成される１画面を順に出力する再生手段と、前記入力受付手段により受け付けられた前記停止指示入力に対応して、前記再生制御時間情報に基づく画面更新を停止し、前記１画面を構成する複数プレーンの最前面に対して再生停止用プレーンを挿入し、擬似的に再生停止画面を生成する再生停止手段とを備える。
【０００９】
この発明の一実施形態に係る再生制御方法は、再生指示入力に対応して、再生制御時間情報に基づき、コンテンツに含まれる複数プレーンを規定透過率で重ね合わせて構成される１画面を順に出力し、停止指示入力に対応して、前記再生制御時間情報に基づく画面更新を停止し、前記１画面を構成する複数プレーンのうちのいくつかのプレーンの透過率を変更し、擬似的に再生停止画面を生成する。
【００１０】
この発明の一実施形態に係る再生制御方法は、再生指示入力に対応して、再生制御時間情報に基づき、コンテンツに含まれる複数プレーンを規定透過率で重ね合わせて構成される１画面を順に出力し、停止指示入力に対応して、前記再生制御時間情報に基づく画面更新を停止し、前記１画面を構成する複数プレーンの最前面に対して再生停止用プレーンを挿入し、擬似的に再生停止画面を生成する。
【発明の効果】
【００１１】
本発明によれば、HD DVD規格で定義されているアドバンスドコンテンツにおける再生機能の充実を図ることができる。
【発明を実施するための最良の形態】
【００１２】
以下、図面を参照し、本発明の実施形態について説明する。
【００１３】
図１は、本発明の一実施形態に係る情報再生装置の概略構成を示すブロック図である。図１に示すように、情報再生装置（アドバンスドプレイヤー）は、アドバンスドナビゲーションエンジン（Advanced Navigation Engine）１、タイトルタイムジェネレータ（Title Time Generator）２、ストリームデコーダ（Stream Decoder）３、メインビデオデコーダ（Main Video Decoder）４、サブビデオデコーダ（Sub Video Decoder）５、サブピクチャーデコーダ（Sub Picture Decoder）６、アドバンスドデータデコーダ（Advanced Data Decoder）７、メインオーディオデコーダ（Main Audio Decoder）８、サブオーディオデコーダ（Sub Audio Decoder）９、アルファコントローラ（Alpha Controller）１０、ビデオレンダラー（Video Renderer）１１、オーディオミキサー（Audio Mixer）１２を備えている。
【００１４】
アドバンスドナビゲーションエンジン１は、再生開始、再生一時停止、及び再生停止などのユーザーからの要求を受付け、再生モード(通常再生、再生一時停止、再生停止など)に応じて、タイトルタイムジェネレータ２とアルファコントローラ１０へ再生モードを通知する。また、アドバンスドナビゲーションエンジン１は、アルファコントローラ１０へHD DVD規格で定義されているアドバンスドコンテンツに含まれる各プレーンの透過度と色を設定する。さらに、アドバンスドナビゲーションエンジン１は、メインビデオデコーダ４、サブビデオデコーダ５、サブピクチャーデコーダ６、アドバンスドデータデコーダ７、メインオーディオデコーダ８、及びサブオーディオデコーダ９へタイトルタイムを設定する。
【００１５】
タイトルタイムとは、アドバンスドコンテンツの再生制御情報である。情報再生装置は、タイトルタイムに従い、アドバンスドコンテンツを再生する。つまり、情報再生装置は、タイトルタイムに従い、ビデオ、グラフィックス、オーディオを出力する。
【００１６】
タイトルタイムジェネレータ２は、アドバンスドナビゲーションエンジン１から設定された再生モードに応じたタイトルタイムをアドバンスドナビゲーションエンジン１へ提供する。
【００１７】
ストリームデコーダ３は、ストリームデータを、メインビデオデータで構成されるメインビデオパック、サブビデオデータで構成されるサブビデオパック、サブピクチャデータで構成されるサブピクチャパック、アドバンスドデータで構成されるアドバンスドパック、メインオーディオパックで構成されるオーディオパック、及びサブオーディオデータで構成されるサブオーディオパックの６つに切り分る。さらに、ストリームデコーダ３は、これら切り分けたパックを、メインビデオデコーダ４、サブビデオデコーダ５、サブピクチャーデコーダ６、アドバンスドデータデコーダ７、メインオーディオデコーダ８、及びサブオーディオデコーダ９へ転送する。
【００１８】
サブビデオデコーダ４は、ストリームデコーダ３から転送されたメインビデオデータをデコードし、ビデオレンダラー１１へデコードデータを転送する。
【００１９】
サブビデオデコーダ５は、ストリームデコーダ３から転送されたサブビデオデータをデコードし、ビデオレンダラー１１へデコードデータを転送する。
【００２０】
サブピクチャーデコーダ６は、ストリームデコーダ３から転送されたサブピクチャデータをデコードし、ビデオレンダラー１１へデコードデータを転送する。
【００２１】
アドバンスドデータデコーダ７は、ストリームデコーダ３から転送されたアドバンスドデータをデコードし、デコードされたグラフィックスデータをビデオレンダラー１１へ転送し、デコードされたオーディオデータをオーディオミキサー１２へ転送する。
【００２２】
メインオーディオデコーダ８は、ストリームデコーダ３から転送されたメインオーディオデータをデコードし、デコードされたオーディオデータをオーディオミキサー１２へ転送する。
【００２３】
サブオーディオデコーダ９は、ストリームデコーダ３から転送されたサブオーディオデータをデコードし、デコードされたサブオーディオデータをオーディオミキサー１２へ転送する。
【００２４】
メインビデオデコーダ４、サブビデオデコーダ５、サブピクチャーデコーダ６、アドバンスドデータデコーダ７、メインオーディオデコーダ８、及びサブオーディオデコーダ９の各デコーダは、アドバンスドナビゲーションエンジン１から設定されるタイトルタイムに同期し、ビデオ、グラフィックス、オーディオを出力する。
【００２５】
メインオーディオデコーダ１０は、アドバンスドナビゲーションエンジン１から設定されるプレーンの透過度と色を保持し、このプレーンの透過度と色をビデオレンダラー１１へ設定する。
【００２６】
ビデオレンダラー１１は、メインビデオデコーダ４、サブビデオデコーダ５、サブピクチャーデコーダ６、及びアドバンスドデータデコーダ７から出力されたデータを多重化する。また、ビデオレンダラー１１は、メインビデオデコーダ４、サブビデオデコーダ５、サブピクチャーデコーダ６、及びアドバンスドデータデコーダ７から出力されたデータの各プレーンへの割り付けを管理する。また、ビデオレンダラー１１は、バックグラウンドプレーン等も管理する。つまり、ビデオレンダラー１１が、タイトルタイムに基づき、コンテンツに含まれる複数プレーンを規定透過率で重ね合わせて構成される１画面を順に出力する。このとき、ビデオレンダラー１１は、最背面に、バックグラウンドプレーンを配置する。
【００２７】
オーディオミキサー１２は、アドバンスドデータデコーダ７、メインオーディオデコーダ８、及びサブオーディオデコーダ９から出力されたデータを多重化する。
【００２８】
図２は、図１に示す情報再生装置による再生停止処理（続き再生機能）の第１例を説明するためのフローチャートである。
【００２９】
アドバンスドナビゲーションエンジン１は、ユーザーからの再生開始要求を受け付る。これにより、アドバンスドコンテンツの再生が開始される。アドバンスドナビゲーションエンジン１が、アドバンスドコンテンツの再生中にユーザーからの再生停止要求を受け付ける(Ａ１)。アドバンスドナビゲーションエンジン１は、タイトルタイムジェネレータ２に対して再生制御時間を停止するように要求する（Ａ２）。つまり、アドバンスドナビゲーションエンジン１は、画面更新の停止を要求する。タイトルタイムジェネレータ２は、再生制御時間を停止する（Ａ３）。
【００３０】
メインビデオデコーダ４、サブビデオデコーダ５、サブピクチャーデコーダ６、アドバンスドデータデコーダ７、メインオーディオデコーダ８、及びサブオーディオデコーダ９の各デコーダは、デコード処理を停止する（Ａ４）。アドバンスドナビゲーションエンジン１は、アルファコントローラ１０へ再生停止を通知する（Ａ５）。
【００３１】
アルファコントローラ１０は、１画面を構成する複数プレーンのうちのいくつかのプレーンの透過率を変更する。つまり、アルファコントローラ１０は、１画面を構成する複数プレーンのうちの、最背面に出力されるバックグラウンドプレーンを除く非バックグラウンドプレーンの透過率を規定透過率より高くする。即ち、アルファコントローラ１０は、非バックグラウンドプレーンを透過にする（Ａ６）。
【００３２】
以上により、ユーザーは、画面上に、バックグラウンドプレーンのみを見ることになる。実際には、複数プレーンが重ね合わせて１画面が構成されている。しかし、ユーザーからは、画面映像が消去され画面更新が停止した状態に見える。まさに、再生停止状態に見える。
【００３３】
図３は、図１に示す情報再生装置による再生再開処理（続き再生機能）の第１例を説明するためのフローチャートである。
【００３４】
アドバンスドナビゲーションエンジン１は、アドバンスドコンテンツの再生停止中に、ユーザーからの再生開始要求を受け付る（Ｂ１）。アドバンスドナビゲーションエンジン１は、アルファコントローラ１０へ再生再開を通知する（Ｂ２）。
【００３５】
アルファコントローラ１０は、再生停止時に透過にした非バックグラウンドプレーンを元の規定透過度へ戻す（Ｂ３）。アドバンスドナビゲーションエンジン１は、タイトルタイムジェネレータ２に対して再生制御時間を再開するように要求する（Ｂ４）。つまり、アドバンスドナビゲーションエンジン１は、画面更新の再開を要求する。タイトルタイムジェネレータ２は、再生制御時間を再開する（Ｂ５）。
【００３６】
メインビデオデコーダ４、サブビデオデコーダ５、サブピクチャーデコーダ６、アドバンスドデータデコーダ７、メインオーディオデコーダ８、及びサブオーディオデコーダ９の各デコーダは、デコード処理を再開する（Ｂ６）。
【００３７】
なお、アドバンスドナビゲーションエンジン１は、アドバンスドコンテンツの再生停止中に、再度、ユーザーからの再生停止要求を受け付けると、タイトルタイムジェネレータ２に対して再生制御時間のリセットを通知する。これにより、これにより、タイトルタイムジェネレータ２は、再生制御時間をリセットする。この後、アドバンスドナビゲーションエンジン１が、ユーザーからの再生開始要求を受け付けると、アドバンスドコンテンツは最初から再生されることになる。
【００３８】
図４は、時間の観点から再生停止処理及び再生再開処理を説明するための図である。図４中の横軸は、リアルタイム(実時間)を示している。縦軸は、タイトルタイムを示しており、タイトルタイムの変化(増分)に同期し、デコードが行われる。
【００３９】
まず、再生開始要求により、タイトルタイムが増加し、再生が開始する(Ｗ１)。続いて、再生停止要求により、タイトルタイムの増加が停止する(Ｗ２)。タイトルタイムが増加しない期間は、デコードが行われない（Ｗ３)。続いて、再生再開要求により、再生が停止されたタイトルタイムから再生が再開される（Ｗ４）。
【００４０】
上記したように再生停止位置からの再生再開機能を具備しない情報再生装置の場合、次のような動作となる。
【００４１】
まず、再生開始要求により、タイトルタイムが増加し、再生が開始する(Ｗ１)。タイトルタイムの増加が停止する(Ｗ２)。続いて、再生停止要求により、タイトルタイムがリセットされる（Ｗ５)。続いて、再生再開要求により、再生がタイトルタイムの先頭から再生が行われる（Ｗ６）。
【００４２】
図５は、表示の観点から続き再生機能（第１例）を説明するための図である。図５に示すように、コンテンツに含まれる複数プレーンが規定透過率で重ね合わせて１画面が構成される。１画面を構成するプレーンは、カーソル表示用のカーソルプレーン（Cursor Plane）Ｆ１、グラフィックス表示用のグラフィックスプレーン（Graphics Plane）Ｆ２、サブピクチャ表示用のサブピクチャプレーン（Subpicture Plane）Ｆ３、サブビデオ表示用のサブビデオプレーン（Sub Video Plane）Ｆ４、メインビデオ表示用のメインビデオプレーン（Main Video Plane）Ｆ５、バックグラウンド表示用のバックグラウンドプレーン（Background Plane）Ｆ６の順番で配置される。
【００４３】
通常再生画面Ｆ７は、通常再生時のビデオアウトプット映像の一例を示すものである。つまり、通常再生画面Ｆ７は、カーソルプレーンＦ１、グラフィックスプレーンＦ２、サブピクチャプレーンＦ３、サブビデオプレーンＦ４、メインビデオプレーンＦ５、及びバックグラウンドプレーンＦ６の各プレーンが規定透過率で所定順に多重表示されたものである。
【００４４】
これに対して、再生停止画面Ｆ８は、再生停止時のビデオアウトプット映像の一例を示すものである。つまり、再生停止画面Ｆ８は、カーソルプレーンＦ１、グラフィックスプレーンＦ２、サブピクチャプレーンＦ３、サブビデオプレーンＦ４、メインビデオプレーンＦ５、及びバックグラウンドプレーンＦ６の各プレーンが多重表示されているものの、バックグラウンドプレーンＦ６を除くカーソルプレーンＦ１、グラフィックスプレーンＦ２、サブピクチャプレーンＦ３、サブビデオプレーンＦ４、及びメインビデオプレーンＦ５の透過率を規定透過率より高くしている。結果的に、ユーザーには、バックグラウンドプレーンＦ６のみが見える。
【００４５】
以上により、ユーザーからの停止指示に応じて、見かけ上の再生停止状態を作り出し、アドバンスドコンテンツにおける続き再生を実現することができる。
【００４６】
図６は、図１に示す情報再生装置による再生停止処理（続き再生機能）の第２例を説明するためのフローチャートである。
【００４７】
アドバンスドナビゲーションエンジン１は、ユーザーからの再生開始要求を受け付る。これにより、アドバンスドコンテンツの再生が開始される。アドバンスドナビゲーションエンジン１が、アドバンスドコンテンツの再生中にユーザーからの再生停止要求を受け付ける(Ｃ１)。アドバンスドナビゲーションエンジン１は、タイトルタイムジェネレータ２に対して再生制御時間を停止するように要求する（Ｃ２）。つまり、アドバンスドナビゲーションエンジン１は、画面更新の停止を要求する。タイトルタイムジェネレータ２は、再生制御時間を停止する（Ｃ３）。
【００４８】
メインビデオデコーダ４、サブビデオデコーダ５、サブピクチャーデコーダ６、アドバンスドデータデコーダ７、メインオーディオデコーダ８、及びサブオーディオデコーダ９の各デコーダは、デコード処理を停止する（Ｃ４）。アドバンスドナビゲーションエンジン１は、アルファコントローラ１０へ再生停止を通知する（Ｃ５）。
【００４９】
アルファコントローラ１０は、１画面を構成する複数プレーンのうちの最前面に位置するフォアグラウンドプレーン（Foreground Plane）の透過率を変更する。つまり、アルファコントローラ１０は、フォアグラウンドプレーンの透過率を規定透過率より低くする。即ち、ファコントローラ１０は、フォアグラウンドプレーンを非透過にする（Ｃ６）。或いは、アルファコントローラ１０は、１画面を構成する複数プレーンの最前面に対して非透過なフォアグラウンドプレーン（Foreground Plane）を挿入する。
【００５０】
以上により、ユーザーは、画面上に、フォアグラウンドプレーンのみを見ることになる。実際には、複数プレーンが重ね合わせて１画面が構成されている。しかし、ユーザーからは、画面映像が消去され画面更新が停止した状態に見える。まさに、再生停止状態に見える。
【００５１】
図７は、図１に示す情報再生装置による再生再開処理（続き再生機能）の第２例を説明するためのフローチャートである。なお、この図７に示す再生再開処理は、図６に示す再生停止処理に対応するものである。
【００５２】
アドバンスドナビゲーションエンジン１は、アドバンスドコンテンツの再生停止中に、ユーザーからの再生開始要求を受け付る（Ｄ１）。アドバンスドナビゲーションエンジン１は、アルファコントローラ１０へ再生再開であることを通知する（Ｄ２）。
【００５３】
アルファコントローラ１０は、再生停止時に非透過にしたフォアグラウンドプレーンの透過率を規定透過率へ戻す（Ｄ３）。或いは、アルファコントローラ１０は、再生停止時に挿入したフォアグラウンドプレーンを除去する。アドバンスドナビゲーションエンジン１は、タイトルタイムジェネレータ２に対して再生制御時間を再開するように要求する（Ｄ４）。つまり、アドバンスドナビゲーションエンジン１は、画面更新の再開を要求する。タイトルタイムジェネレータ２は、再生制御時間を再開する（Ｄ５）。
【００５４】
メインビデオデコーダ４、サブビデオデコーダ５、サブピクチャーデコーダ６、アドバンスドデータデコーダ７、メインオーディオデコーダ８、及びサブオーディオデコーダ９の各デコーダは、デコード処理を再開する（Ｄ６）。
【００５５】
なお、アドバンスドナビゲーションエンジン１は、アドバンスドコンテンツの再生停止中に、再度、ユーザーからの再生停止要求を受け付けると、タイトルタイムジェネレータ２に対して再生制御時間のリセットを通知する。これにより、タイトルタイムジェネレータ２は、再生制御時間をリセットする。この後、アドバンスドナビゲーションエンジン１が、ユーザーからの再生開始要求を受け付けると、アドバンスドコンテンツは最初から再生されることになる。
【００５６】
図８は、表示の観点から続き再生機能（第２例）を説明するための図である。図８に示すように、コンテンツに含まれる複数プレーンが規定透過率で重ね合わせて１画面が構成される。１画面を構成するプレーンは、再生停止時に他のプレーンを隠蔽する為のフォアグラウンドプレーン（Foreground Plane）Ｇ１、カーソル表示用のカーソルプレーン（Cursor Plane）Ｇ２、グラフィックス表示用のグラフィックスプレーン（Graphics Plane）Ｇ３、サブピクチャ表示用のサブピクチャプレーン（Subpicture Plane）Ｇ４、サブビデオ表示用のサブビデオプレーン（Sub Video Plane）Ｇ５、メインビデオ表示用のメインビデオプレーン（Main Video Plane）Ｇ６、バックグラウンド表示用のバックグラウンドプレーン（Background Plane）Ｇ７の順番で配置される。
【００５７】
通常再生画面Ｇ８は、通常再生時のビデオアウトプット映像の一例を示すものである。つまり、通常再生画面Ｇ８は、フォアグラウンドプレーンＧ１、カーソルプレーンＧ２、グラフィックスプレーンＧ３、サブピクチャプレーンＧ４、サブビデオプレーンＧ５、メインビデオプレーンＧ６、バックグラウンドプレーンＧ７の各プレーンが規定透過率で所定順に多重表示されたものである。なお、通常再生画面Ｇ８を構成するフォアグラウンドプレーンＧ１が規定透過率に設定された状態では、フォアグラウンドプレーンＧ１は透過状態となっている。
【００５８】
これに対して、再生停止画面Ｇ９は、再生停止時のビデオアウトプット映像の一例を示すものである。つまり、再生停止画面Ｇ９は、フォアグラウンドプレーンＧ１、カーソルプレーンＧ２、グラフィックスプレーンＧ３、サブピクチャプレーンＧ４、サブビデオプレーンＧ５、メインビデオプレーンＧ６、バックグラウンドプレーンＧ７の各プレーンが多重表示されているものの、フォアグラウンドプレーンＧ１の透過率を規定透過率より低くしている。結果的に、ユーザーには、非透過なフォアグラウンドプレーンＧ１のみが見える。
【００５９】
以上により、ユーザーからの停止指示に応じて、見かけ上の再生停止状態を作り出し、アドバンスドコンテンツにおける続き再生を実現することができる。
【００６０】
また、再生停止時に、フォアグラウンドプレーンＧ１のさらに前面に、再生停止中を示すグラフィックイメージ（再生停止情報）を含むガイドプレーンを配置するようにしてもよい。これにより、ユーザーは、再生が停止していることをより明確に知ることができる。
【００６１】
以下に、本実施形態をまとめる。
【００６２】
（１）アドバンスドコンテンツ再生中に、再生制御時間を一時停止し、バックグラウンドプレーンを除く非バックグラウンドプレーンを透過にする。つまり、擬似的に再生停止画面を生成する。これにより、見かけ上のリジューム再生を実現する。
【００６３】
（２）アドバンスドコンテンツ再生中に、再生制御時間を一時停止し、最前面に位置するフォアグラウンドプレーンを非透過にする。或いは、最前面に非透過なフォアグラウンドプレーンを挿入する。つまり、擬似的に再生停止画面を生成する。これにより、見かけ上のリジューム再生を実現する。
【００６４】
以上により、アドバンスドコンテンツの再生においても、再生停止の後、続き再生が可能となり、ユーザーへ快適な再生環境が提供される。
【００６５】
なお、図１に示す情報再生装置は、再生一時停止を実行することもできる。この場合、再生制御時間が停止し、各プレーンの透過率は規定透過率のまま維持される。別のプレーンが挿入されることもない。つまり、再生一時停止により、画面映像が表示されたまま、画面更新が停止した状態となる。上記説明した再生停止では、画面映像が非表示となり、画面更新が停止した状態となる。このように、再生一時停止及び再生停止の両機能を実現可能とすることにより、再生機能の充実を図ることができる。
【００６６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００６７】
【図１】図１は、本発明の一実施形態に係る情報再生装置の概略構成を示すブロック図である。
【図２】図２は、図１に示す情報再生装置による再生停止処理（続き再生機能）の第１例を説明するためのフローチャートである。
【図３】図３は、図１に示す情報再生装置による再生再開処理（続き再生機能）の第１例を説明するためのフローチャートである。
【図４】図４は、時間の観点から再生停止処理及び再生再開処理を説明するための図である。
【図５】図５は、表示の観点から続き再生機能（第１例）を説明するための図である。
【図６】図６は、図１に示す情報再生装置による再生停止処理（続き再生機能）の第２例を説明するためのフローチャートである。
【図７】図７は、図１に示す情報再生装置による再生再開処理（続き再生機能）の第２例を説明するためのフローチャートである。
【図８】図８は、表示の観点から続き再生機能（第２例）を説明するための図である。
【符号の説明】
【００６８】
１…アドバンスドナビゲーションエンジン、２…タイトルタイムジェネレータ、３…ストリームデコーダ、４…メインビデオデコーダ、５…サブビデオデコーダ、６…サブピクチャーデコーダ、７…アドバンスドデータデコーダ、８…メインオーディオデコーダ、９…サブオーディオデコーダ、１０…アルファコントローラ、１１…ビデオレンダラー、１２…オーディオミキサー
【図１】
2008300966.tif 000003
【図２】
2008300966.tif 000004
【図３】
2008300966.tif 000005
【図４】
2008300966.tif 000006
【図５】
2008300966.tif 000007
【図６】
2008300966.tif 000008
【図７】
2008300966.tif 000009
【図８】
2008300966.tif 000010